(57)【要約】      （修正有）【課題】中央部に暗い部分が形成されるのを防止できるＬＥＤ照明器具を提供する。【解決手段】第１ＬＥＤ発光部４０と、入射端面６２を有する中空部が器具本体２０に支持されるとともに、第１ＬＥＤ発光部４０が入射端面６２と対面して配置された導光板６０と、第１ＬＥＤ発光部４０の出射方向と直交する方向に光を照射する第２ＬＥＤ発光部７１とを有する。導光板６０の中空部には、下カバー６１Ａが設けられている。中央には第２ＬＥＤ発光部７１が設けられており、下カバー６１Ａの中央にはレンズ部材７０が設けられている。下カバー６１Ａは押え部６１２と、押え部６１２に連結される天板部６１３とを有する。天板部６１３は、中央部に向かって窪んだ凹形状となっているため、第２ＬＥＤ発光部７１から外向きに発せられた光が天板部６１３の凹形状の窪みに照射されて下方に反射するので、第２ＬＥＤ発光部７１の周囲に暗い部分が形成されるのを防止できる。【選択図】図３
2015095390.tif 000002
【特許請求の範囲】
【請求項１】
器具本体と、
前記器具本体に収容される第１ＬＥＤ発光部と、
入射端面を有する中空部が前記器具本体に支持されるとともに、前記第１ＬＥＤ発光部が前記入射端面と対面して配置された導光板と、
前記器具本体に収容されるとともに前記第１ＬＥＤ発光部の出射方向に対して直交する方向に光を照射する第２ＬＥＤ発光部と、
前記中空部を覆うとともに前記第２ＬＥＤ発光部が露出するカバーと、
前記カバーに支持されて前記第２ＬＥＤ発光部を覆うレンズ部材とを備え、
前記カバーは、前記導光板に接触する押え部と、前記押え部に連結される天板部とからなる光反射部を有し、
前記天板部は、前記押え部との稜線よりも中央部に向かって窪んだ凹形状であるＬＥＤ照明器具。
【請求項２】
請求項１に記載のＬＥＤ照明器具において、
前記押え部は、前記導光板に向かって拡開する錐形状であるＬＥＤ照明器具。
【発明の詳細な説明】
【技術分野】
【０００１】
本発明は、ＬＥＤを光源として照明を行うＬＥＤ照明器具に関する。
【背景技術】
【０００２】
従来、器具本体に取り付けられた複数のＬＥＤを光源とするＬＥＤ照明器具が知られている（例えば、特許文献１参照）。
図１０に示すように、特許文献１に記載のＬＥＤ照明器具１０Ａ０は、天井に取り付けられる円板状のシャーシ１０１およびシャーシ１０１に取り付けられる透光カバー１０２を有する。透光カバー１０２の中央部には、円板状の開口部（図示省略）が設けられており、開口部にはセンターカバー１０３が着脱可能に取り付けられている。
シャーシ１０１には、中央に円筒形状の取付台１０５が設けられており、取付台１０５の外周面には、複数のＬＥＤモジュール１０４が外周向きに取り付けられている。
【先行技術文献】
【特許文献】
【０００３】
【特許文献１】特開２０１２−７４２１６号公報（第３図）
【発明の概要】
【発明が解決しようとする課題】
【０００４】
ところで、前述したＬＥＤ照明器具１０Ａ０では、中央に取付台１０５が設けられ、取付台１０５の外周面にＬＥＤモジュール１０４が取り付けられているため、取付台１０５の内側領域は、暗くなる。
このため、ＬＥＤ照明器具１０Ａ０の中央部に、真下を照らすための中央発光部を設ける場合がある。
このような場合に、取付台１０５のような中央発光部を囲むような部材があると、中央発光部の外側に暗い部分ができてしまうという問題があった。
【０００５】
本発明は、従来の問題を解決するためになされたもので、中央部に暗い部分が形成されるのを防止できるＬＥＤ照明器具を提供することを目的とする。
【課題を解決するための手段】
【０００６】
本発明のＬＥＤ照明器具は、器具本体と、前記器具本体に収容される第１ＬＥＤ発光部と、入射端面を有する中空部が前記器具本体に支持されるとともに、前記第１ＬＥＤ発光部が前記入射端面と対面して配置された導光板と、前記器具本体に収容されるとともに前記第１ＬＥＤ発光部の出射方向に対して直交する方向に光を照射する第２ＬＥＤ発光部と、前記中空部を覆うとともに前記第２ＬＥＤ発光部が露出するカバーと、前記カバーに支持されて前記第２ＬＥＤ発光部を覆うレンズ部材とを備え、前記カバーは、前記導光板に接触する押え部と、前記押え部に連結される天板部とからなる光反射部を有し、前記天板部は、前記押え部との稜線よりも中央部に向かって窪んだ凹形状である。
【０００７】
また、本発明のＬＥＤ照明器具は、前記押え部は、前記導光板に向かって拡開する錐形状であるものである。
【発明の効果】
【０００８】
本発明は、器具本体は、第１ＬＥＤ発光部と、中空部を有する導光板と、第１ＬＥＤ発光部の出射方向に対して直交する方向に光を照射する第２ＬＥＤ発光部とを有する。導光板の中空部には、カバーが設けられており、カバーの中央には第２ＬＥＤ発光部が露出して設けられている。カバーは、導光板に接触する押え部と、押え部に連結される天板部とからなる光反射部を有し、天板部は、押え部との稜線よりも中央部に向かって窪んだ凹形状となっている。このため、第２ＬＥＤ発光部が発した光のうち、外向きに発せられた光が天板部の凹形状の窪みに照射されて下方に反射するので、第２ＬＥＤ発光部の周囲に暗い部分が形成されるのを防止できるという効果を有するＬＥＤ照明器具を提供できる。
【図面の簡単な説明】
【０００９】
【図１】本発明に係る第１実施形態のＬＥＤ照明器具を天井面に取り付けた状態を下方から見た斜視図
【図２】本発明に係る第１実施形態のＬＥＤ照明器具を上方から見た斜視図
【図３】本発明に係る第１実施形態のＬＥＤ照明器具の要部断面図
【図４】本発明に係る第１実施形態のＬＥＤ照明器具の要部断面図
【図５】器具本体に上ホルダを取り付けた状態を下方から見た斜視図
【図６】（Ａ）は上ホルダにＬＥＤチップを実装した基板を装着した状態を示す斜視図であり、（Ｂ）は基板を取り付ける前の上ホルダの斜視図
【図７】（Ａ）はＬＥＤチップを実装した基板の斜視図であり、（Ｂ）は放熱板の斜視図
【図８】上導光板を下方から見た斜視図
【図９】本発明に係る第２実施形態のＬＥＤ照明器具の要部断面図
【図１０】従来のＬＥＤ照明器具の断面図
【発明を実施するための形態】
【００１０】
（第１実施形態）
以下、本発明に係る実施形態のＬＥＤ照明器具について、図面を用いて説明する。
図１に示すように、第１実施形態のＬＥＤ照明器具１０Ａは、例えば天井面１１に取り付けて、主に下方を照明するのに用いることができる。
なお、以下の説明においては、ＬＥＤ照明器具１０Ａを天井面１１に取り付けた状態で、天井面１１側を「上」、天井面１１と反対側（すなわち、床側）を「下」とする。
【００１１】
まず、ＬＥＤ照明器具１０Ａの全体構成を概説する。
図１および図２に示すように、ＬＥＤ照明器具１０Ａは、天井面１１に取り付けられる器具本体２０を有する。
器具本体２０の下側には上導光板５０が配置されており、上導光板５０の下側には、上導光板５０を下側から支持する不透光性の上カバー５１が、器具本体２０に取り付けられている。
【００１２】
図１および図３に示すように、上カバー５１の下側には下導光板（導光板）６０が配置されており、下導光板６０の下側には、下導光板６０を下側から支持する不透光性の下カバー（カバー）６１が設けられている。
下カバー６１Ａはリング形状をしており、下カバー６１Ａの内側にはリング状のセンターレンズ（レンズ部材）７０が下カバー６１Ａの内周に沿って設けられている。
センターレンズ７０の内側には、円板状の蓋７２が着脱可能に取り付けられている。
【００１３】
以下、各構成部位について詳述する。
図２および図３に示すように、器具本体２０は、例えば、アルミニウム等の金属で全体円板形状に形成されている。器具本体２０の中央には、天井面１１に取り付けられている天井に設けられた引掛けシーリング（図示省略）に取り付けられる取付アダプタ２２用の開口２１を有する。
器具本体２０は、中央の平坦部２３の外周端から下方に向かって外側へ傾斜して折り曲げられて、立壁２４が形成されている。立壁２４は、下端部が外側へ折り曲げられて水平部２５が設けられている。
【００１４】
立壁２４は、後述する上ＬＥＤ発光部（第１ＬＥＤ発光部）３０の配置に対応しており、平面視で例えば六角形に形成されており、各立壁２４は、平面状に形成されている。また、水平部２５の先端、すなわち、最外周縁２５１は、丸められている。なお、平坦部２３には、複数個（ここでは、例えば３個）の弾性部材２６が取り付けられている。
従って、蓋７２（図１参照）を外して、取付アダプタ２２を引掛シーリングに取り付けることにより電気的及び機械的に接続され、器具本体２０は天井面１１に取り付けられる。このとき、弾性部材２６が器具本体２０と天井面１１との間で弾性変形して、器具本体２０のぐらつきを防止する。
【００１５】
ＬＥＤ照明器具１０Ａは、天井面１１から器具本体２０を見た際（平面視上）に、上ＬＥＤ発光部３０が下ＬＥＤ発光部４０よりも外側に配置されているとともに、下導光板６０よりも上導光板５０が大径となっている。
すなわち、ＬＥＤ照明器具１０Ａは、下ＬＥＤ発光部４０よりも多くの光束が出る上ＬＥＤ発光部３０の光が下導光板６０よりも大径の上導光板５０が出射されるため、効果的に天井面１１に光を照射できる。
従って、上ＬＥＤ発光部３０が下ＬＥＤ発光部４０よりも内側に配置されているとともに、下導光板６０よりも上導光板５０が小径の場合に比較して、良好な照明バランスが得られる。
【００１６】
図３および図４に示すように、器具本体２０の内側には、上ＬＥＤ発光部（ＬＥＤ発光部）３０が設けられている。上ＬＥＤ発光部３０には、上ホルダ（ホルダ）３１が、器具本体２０の内側で、平坦部２３の下面に接するように設けられている。上ホルダ３１は、立壁２４の配置（ここでは、六角形）に対応して６個設けられている（図５参照）。
【００１７】
図４および図６に示すように、上ホルダ３１は、全体矩形平板状を呈しており、外側面３１１の上端部には、外側面３１１から一定距離外側に離れて背板３１２が設けられている。この外側面３１１と背板３１２との間の隙間に、後述する基板３３と放熱板３５が挿入される。
なお、外側面３１１の長手方向両端には、外側に突出する突起部３１３が設けられている。突起部３１３は、後述するように上ホルダ３１にＬＥＤチップ３２を実装した基板３３を取り付けた際に、ＬＥＤチップ３２よりも外側に突出するようになっている。
【００１８】
また、上ホルダ３１の外側面３１１側には、軒部３４が外側に突出して設けられている。
軒部３４は、上ホルダ３１の外側面３１１の下端部から外側面３１１と一定間隔離れて上方へ平行に延びる支持部３４１と、支持部３４１の上端に設けられた断面Ｌ字形状の受部３４２を有する。
外側面３１１と支持部３４１との間の隙間に、後述する基板３３と放熱板３５が挿入される。
【００１９】
受部３４２は、複数個のリブ３４４によって補強されている。受部３４２の上面は、被覆された被覆面３４３が形成されている。被覆面３４３は、光を反射するようにして、反射層を設けることができる。反射層は、例えば白く塗装して、反射率を７５％以上とすることができる。
また、受部３４２と上ホルダ３１の外側面３１１との間には、隙間３４５が設けられている。
【００２０】
上ホルダ３１の外側面３１１には、ＬＥＤチップ３２が実装された基板３３が、ＬＥＤチップ３２を外向きにして取り付けられる。
図７（Ａ）に示すように、基板３３は矩形板状を呈しており、実装面３３１の幅方向（上下方向）中央部には、長手方向に沿って直線状に複数個のＬＥＤチップ３２が実装されている。また、基板３３の長手方向両端部には、電源部（図示省略）から点灯電力の供給を受けたり、隣接する基板３３と電気的に接続するためのコネクタ３３２が設けられている。
【００２１】
図４に示すように、基板３３の実装面３３１と反対側の裏面３３３には、放熱板３５が取り付けられる。放熱板３５の外側面３５１は、基板３３の裏面３３３に面接触している。
図７（Ｂ）に示すように、放熱板３５は、金属板により矩形板状に形成されている。放熱板３５の長手方向両端部および下端部には、全体Ｃ字形状の突起３５２が設けられている。突起３５２は、内側に向かって突出して設けられており、外側面３５１は、平坦である。
これにより、放熱板３５が上ホルダ３１の外側面３１１に密着しないようにしている。
また、放熱板３５の上端部は、内側に向かって折り曲げられて折曲部３５３が形成されている。
【００２２】
従って、基板３３を、上ホルダ３１の背板３１２の内側から差し込み、基板３３の下端部を軒部３４の支持部３４１と上ホルダ３１の外側面３１１との間に挿入する。そして、放熱板３５を基板３３の裏面３３３に沿って挿入する。
このとき、基板３３の裏面３３３は放熱板３５に密着するので、ＬＥＤチップ３２が発した熱を放熱板３５により吸収できる。また、放熱板３５は、突起３５２が上ホルダ３１の外側面３１１に当接するので、上ホルダ３１に密着しない。これにより、放熱性を向上させる。
さらに、上ホルダ３１を器具本体２０に組み付けた後は、放熱板３５の折曲部３５３が器具本体２０の平坦部２３の下面に当接する（図４参照）。
このため、基板３３を介して放熱板３５に伝達された熱が、折曲部３５３から器具本体２０に伝達されるので、放熱性を一層向上させる。
【００２３】
図３に示すように、上ＬＥＤ発光部３０の下方には、上カバー５１が、器具本体２０に取り付けられている。上カバー５１は、器具本体２０に取り付けられて外側へ水平に延びるリング状の水平支持部５１１と、水平支持部の外周端から外側に向かって上昇する傾斜支持部５１２を有する。
傾斜支持部５１２の上端５１３は、器具本体２０の水平部２５の器具本体２０の水平部２５の最外周縁２５１と対向している。
【００２４】
図３および図４に示すように、器具本体２０と上カバー５１との間には、上導光板５０が支持されている。
図８に示すように、上導光板５０は、全体円板状を呈しており、中央には中空部５２を有する。中空部５２は、器具本体２０に支持され六角形に配置された上ホルダ３１に対応して、六角形に形成されている。
上導光板５０は、表面にリブや印刷を設けて配光制御することができる。
図３に示すように、上導光板５０は、器具本体２０の水平部２５の下面に当接するとともに、上カバー５１の傾斜支持部５１２の上端５１３により、下方から支持されている。
【００２５】
図３および図４に示すように、上導光板５０の中空部５２側端部は、軒部３４の受部３４２により下側から支持されている。中空部５２の内周端面は、上ホルダ３１に取り付けられている基板３３のＬＥＤチップ３２に対向する入射端面５３（図８参照）となる。このとき、ＬＥＤチップ３２よりも外側に突出する上ホルダ３１の突起部３１３が、入射端面５３に対向する。
なお、受部３４２の被覆面３４３と上導光板５０とは略平行であるが、被覆面３４３と上導光板５０との間に、隙間（例えば、０．２５〜１．００ｍｍ）を設けてもよい。
受部３４２は、先端３４６が入射端面５３の同一平面から入射端面５３とは反対側（図４において左側）の任意位置まで延びており、上導光板５０を下側から支持する。
【００２６】
図１および図３に示すように、上カバー５１の下側には、下カバー６１Ａが器具本体２０に支持されている。上カバー５１と下カバー６１Ａとの間には、下導光板６０が支持されている。
下導光板６０は、上カバー５１の水平支持部５１１の下面と、下カバー６１Ａの上端６１１との間に支持されている。
なお、下導光板６０は、上導光板５０よりも小さいが、前述した上導光板５０と同様の構成をしているので、詳細な説明は省略することとする（図５および図８参照）。
【００２７】
図３に示すように、上カバー５１と下カバー６１Ａとの間には、下ＬＥＤ発光部（第１ＬＥＤ発光部）４０が設けられている。下ＬＥＤ発光部４０は、下ホルダ４１を有する。
なお、下ホルダ４１は、前述した上ホルダ３１と同様の構成をしているので、詳細な説明は省略することとする。
従って、図５に示すように、下導光板６０の中空部６３の内周面である入射端面６２は、下ホルダ４１に支持されている基板３３に実装されたＬＥＤチップ３２に対向して配置され、下ホルダ４１の軒部４２によって支持されている。
【００２８】
下カバー６１Ａは不透光性であり、上端６１１が下導光板６０に接触する押え部６１２と、押え部６１２に連結される天板部６１３を有する。
押え部６１２は、下導光板６０に向かって拡開する錐形状である。従って、下導光板６０から内側に向かって出射した光ＢＭ１は、押え部６１２に当たり下方へ反射する。
また、天板部６１３は、押え部６１２との稜線６１４よりも器具本体２０の中央部に向かって窪んだ凹形状である。
【００２９】
センターレンズ７０の上方には、上ＬＥＤ発光部３０および下ＬＥＤ発光部４０の出射方向に対して直交する方向、すなわち、下方に光を照射する第２ＬＥＤ発光部７１が設けられている。
第２ＬＥＤ発光部７１は、リング板状の基板７１１に、ＬＥＤチップ７１２をリング状に配列して形成することができる。第２ＬＥＤ発光部７１から発せられた光は、センターレンズ７０を介して主に真下に照射されて照明する。
なお、センターレンズ７０から外側向きに出射された光ＢＭ２は、下カバー６１Ａの凹形状の天板部６１３に照射され、下方へ反射する。
【００３０】
第１実施形態のＬＥＤ照明器具の作用、効果について説明する。
第１実施形態のＬＥＤ照明器具１０Ａでは、器具本体２０は、下ＬＥＤ発光部４０と、下ＬＥＤ発光部４０の出射方向に対面するように入射端面６２が配置された中空部６３を有する下導光板６０と、下ＬＥＤ発光部４０の出射方向に対して直交する方向に光を照射する第２ＬＥＤ発光部７１とを有する。
下導光板６０の中空部６３には、下カバー６１Ａが設けられている。下カバー６１Ａの中央には第２ＬＥＤ発光部７１が露出して設けられており、第２ＬＥＤ発光部７１を覆うセンターレンズ７０が、下カバー６１Ａの中央に設けられている。
【００３１】
そして、下カバー６１Ａは光不透過であり、下導光板６０に接触する押え部６１２と、押え部６１２に連結される天板部６１３とを有する。天板部６１３は、押え部６１２との稜線６１４よりも中央部に向かって窪んだ凹形状となっている。これら押え部６１２と天板部６１３とは光を反射する光反射部６１５を構成する。このため、白色系の樹脂等にて形成されることが好ましい。
このため、第２ＬＥＤ発光部７１が発した光のうち、外向きに発せられた光が天板部６１３の凹形状の窪みに照射されて下方に反射するので、第２ＬＥＤ発光部７１の周囲に暗い部分が形成されるのを防止できる。
【００３２】
また、第１実施形態のＬＥＤ照明器具１０Ａでは、押え部６１２は、下導光板６０に向かって拡開する円錐や角錐等の錐形状であるので、下導光板６０から下方中央側に出射された光が押え部６１２に当たり、下方へ反射するので、効率よく配光することができる。
【００３３】
（第２実施形態）
次に、第２実施形態のＬＥＤ照明器具について説明する。
なお、前述した第１実施形態のＬＥＤ照明器具１０Ａと共通する部位には同じ符号を付して、重複する説明を省略することとする。
図９に示すように、第２実施形態のＬＥＤ照明器具１０Ｂでは、下カバー６１Ｂは乳白色であり、略円柱状に形成されている。そして、押え部６１２は、傾斜していない。また、天板部６１３には窪みが設けられていなくて平面状であり、センターレンズ７０の下面と同一面上にある。
【００３４】
このように構成しても、ＬＥＤ照明器具１０Ｂの中央部を明るくすることができる。
【００３５】
本発明のＬＥＤ照明器具は、前述した各実施形態に限定されるものでなく、適宜な変形、改良等が可能である。
【符号の説明】
【００３６】
１０Ａ、１０Ｂ  ＬＥＤ照明器具
２０  器具本体
４０  下ＬＥＤ発光部（第１ＬＥＤ発光部）
６０  下導光板（導光板）
６１Ａ、６１Ｂ  下カバー（カバー）
６１２  押え部
６１３  天板部
６１４  稜線
６１５  光反射部
６２  入射端面
６３  中空部
７０  センターレンズ（レンズ部材）
７１  第２ＬＥＤ発光部
【図１】
2015095390.tif 000003
【図２】
2015095390.tif 000004
【図３】
2015095390.tif 000005
【図４】
2015095390.tif 000006
【図５】
2015095390.tif 000007
【図６】
2015095390.tif 000008
【図７】
2015095390.tif 000009
【図８】
2015095390.tif 000010
【図９】
2015095390.tif 000011
【図１０】
2015095390.tif 000012